(57)【要約】【課題】装着が簡単なインクカートリッジを提供する。【解決手段】上壁１１、底壁１２及び上壁と底壁につながる複数の側壁４１、４２を含む容器１からなるインクカートリッジである。インク供給口は容器に備わる。弾性固定部材５は、複数の側壁の少なくとも一つに備わる。弾性固定部材５は、側壁４１から容器１の輪郭最大限にまで外側に向かって延びる。このインクカートリッジは、直接または間接的に様々なタイプのプリンターで使用可能であり、合理的な構造、低価格そして簡易な組立／分解という利点を持つ。【選択図】図１
2012520191.tif 000002
【特許請求の範囲】
【請求項１】
上壁、底壁及び前記上壁と前記底壁につながる複数の側壁を含む容器と、該容器に備えられたインク供給口と、前記複数の側壁の少なくとも一つの外部面に備えられた弾性固定部材とを有するインクカートリッジであって、
前記弾性固定部材は、側壁から前記容器の輪郭最大限にまで外側に向かって延びることを特徴とするインクカートリッジ。
【請求項２】
接触電極のある回路基板が弾性固定部材と同じ側壁に備えられたことを特徴とする請求項１記載のインクカートリッジ。
【請求項３】
前記弾性固定部材が支持部材によって前記複数の側壁の少なくとも一枚に備えられたことを特徴とする請求項１または２記載のインクカートリッジ。
【請求項４】
前記回路基板がさらに発光部材を有し、前記支持部材に貫通孔が備えられ、前記貫通孔の一端は前記発光部材の真上に位置することを特徴とする請求項３記載のインクカートリッジ。
【請求項５】
連結ピンが前記容器の上壁から外側へ向かって延びることを特徴とする請求項１または２記載のインクカートリッジ。
【請求項６】
連結ピンが前記容器の上壁から外側へ向かって延びることを特徴とする請求項３記載のインクカートリッジ。
【請求項７】
連結ピンが前記容器の上壁から外側へ向かって延びることを特徴とする請求項４記載のインクカートリッジ。
【発明の詳細な説明】
【技術分野】
【０００１】
本発明はインクカートリッジ、特にインクジェットプリンターへインクを供給するインクカートリッジに関する。本出願は２００９年９月１２日に出願された中国特許出願第２００９１０３０６９２７.７号に基づき、その内容は参照することにより本出願に組み込まれる。
【背景技術】
【０００２】
現在、インクカートリッジは、主にインクを収納する貯蔵室付きの容器と、インクを供給するインク供給口を有する。インクカートリッジは、さらに留め具つき保持部材を有する。このような保持部材は構造が複雑で壊れやすく、また素材の要件も厳しい。使用者がプリンターのキャリッジからインクカートリッジを取り外す際に不便である。使用者が保持部材の構造をよく知らない場合、保持部材は簡単に壊れ、キャリッジ内からインクカートリッジが取り出せなくなる。使用者が無理に引っ張り出せば、インクカートリッジ全体が壊れる恐れがある。インクは漏れ、環境破壊を引き起こすだろう。ついにはプリンター自体が壊れてしまう。また、インクカートリッジがキャリッジへ装着される際、保持部材は一定の場所を取るため、容器に保持できるインク量が減少してしまう。さらに、複雑な構造をした保持部材は製造が困難で、費用もかさむ。
【発明の概要】
【発明が解決しようとする課題】
【０００３】
本発明の目的は装着が簡単なインクカートリッジを提供することである。このインクカートリッジはキャリッジにぴたりとはまる。使用者はインクカートリッジの取り付けと取り外しを簡単に行うことができる。さらには費用の節約にもなる。
【課題を解決するための手段】
【０００４】
上記の目的を達成する解決策として、本発明は容器を備えたインクカートリッジを提供する。この容器は上壁、底壁そして上壁と底壁につながる複数の側壁を含む。容器にはインク供給口が備わる。前記複数の側壁のうち一枚に弾性固定部材が備わる。弾性固定部材は側壁から前記容器の輪郭最大限にまで外側に向かって延びる。
【０００５】
インクカートリッジはさらに前記複数の側壁の一枚に備わる、複数の接触電極のある回路基板含む。弾性固定部材は回路基板が備わるのと同じ側壁に備わる。
【０００６】
インクカートリッジはさらに容器の外部面に備わる支持部材を含む。弾性固定部材は支持部材によって容器に固定される。
【０００７】
インクカートリッジはさらに支持部材に備わる貫通孔を含む。貫通孔の一端は回路基板に備わる発光部材の真上に位置する。
【図面の簡単な説明】
【０００８】
【図１】本発明の第一実施形態の正面図である。
【図２】本発明の第一実施形態の右側面図である。
【図３】本発明の第一実施形態の上面図である。
【図４】キャリッジに装着された本発明の第一実施形態の概略図である。
【図５】本発明の第二実施形態の正面図である。
【図６】本発明の第二実施形態の左側面図である。
【図７】本発明の第二実施形態の背面図である。
【図８】本発明の第三実施形態の断面図である。
【発明を実施するための形態】
【０００９】
第一実施形態
図１から図３において、インクカートリッジはキャリッジ６に取り付け可能な容器１を含む。容器１は上壁１１、底壁１２、上壁１１と底壁１２につながる一対の幅の広い側壁４１と一対の幅の狭い側壁４２を有する。インク供給口は底壁１２に備わり、接触電極３のある回路基板は、幅の狭い側壁４２のうち一つに備わる。湾曲面のある弾性固定部材５は、幅の広い側壁４１の外部面に備わる。弾性固定部材５はゴム素材からなっている。
【００１０】
図２と図３において、弾性固定部材５の外部面は一方向へ向かう曲線を有する。しかしながら、弾性固定部材５は双方向へ向かう曲線を有することも可能である。弾性固定部材５は、インクカートリッジの最大の輪郭の一部を成す。つまりインクカートリッジ１は、従来のインクカートリッジに比べ、やや厚みがある。
【００１１】
図４において、インクカートリッジ１がプリンターのキャリッジ６に装着されるとき、弾性固定部材５はキャリッジの内壁をきつく押す。この摩擦力がインクカートリッジをキャリッジにしっかりと固定する。図４においては、三つのインクカートリッジ１がキャリッジ６に装着されており、キャリッジ内の仕切り板が内側の空間を三つに分けている。仕切り板は取り外し可能である。この場合、インクカートリッジまたは弾性固定部材はやや厚めに設計することができる。それらは互いにきつく押し合い、キャリッジ内にしっかりと固定される。
【００１２】
第二実施形態
図５から図７において、インクカートリッジは側壁４に備わる接触電極３を有した回路基板を含む。弾性固定部材５は、同じ側壁４に備わる。側壁４は、滑面はもとより湾曲面または不規則な面であることも可能である。弾性固定部材５は、支持部材７によって側壁４１に固定される。溝７２のある半閉鎖した穴７１が支持部材７に備わる。溝７２からの延長部分がその一部をなす弾性固定部材５は、穴７１にぴたりとはまり、その外側の部分はインクカートリッジ１の輪郭の最大限をなす。つまり、弾性固定部材５により本インクカートリッジは標準的なインクカートリッジよりやや幅広になるのである。インクカートリッジ１がキャリッジに装着されるとき、それは前述の実施形態と同じようにキャリッジの内壁を押す。これによりインクカートリッジ１はキャリッジにしっかりと固定される。この実施形態の場合、弾性固定部材５はシリコン素材からなっている。
【００１３】
第三実施形態
図８において、右側の側壁は複数の不規則な壁を含んでいる。回路基板の接触電極３よりも高い位置にある弾性固定部材５は、支持部材７によって狭い側壁４２に備わる。貫通孔は支持部材７に備わり、その一端は回路基板の発光部材３１の真上に位置する。貫通孔は発光部材から発せられる光信号を伝達するために用いられる。この場合、インクカートリッジは特定のプリンターにおいても使用可能である。さらに、容器１の上壁１１から外側へ向かって延びる連結ピン９が、キャリッジからのインクカートリッジの取り外しを容易にする。
【産業上の利用可能性】
【００１４】
本発明のインクカートリッジは、弾性固定部材により容易かつ正確にキャリッジに装着することが可能となる。同時に、インクカートリッジとキャリッジ間の圧力が、インクカートリッジ上の接触電極とキャリッジ上の電極との間の安定した接触を維持する。さらに、このようなタイプの弾性固定部材は環境的な制限が少ない。インク供給口と、キャリッジと密着した接触電極さえあれば良いのである。
【００１５】
本発明には先行技術に比べさらに利点がある。まず、先行技術においてはインクカートリッジがキャリッジへ装着される際、保持部材が一定の空間を要する。また保持部材は簡単に壊れやすい。しかし、本発明は保持部材の代わりに弾性固定部材を用いる。弾性固定部材はインクカートリッジとキャリッジ間の電極の接触を安定させ、またインクカートリッジの容量を拡大させる。実際、弾性固定部材は壊れにくい。
【００１６】
さらに本発明のインクカートリッジは、光信号の通路または弾性固定部材を支える支持部材を含むことも可能である。この場合、インクカートリッジは直接または間接的に様々なタイプのプリンターで使用することが可能となる。本発明のインクカートリッジは合理的な構造、低価格そして簡易な組立／分解という利点を持つ。
【符号の説明】
【００１７】
１    容器
３    接触電極
４    側壁
５    弾性固定部材
６    キャリッジ
７    支持部材
９    連結ピン
１１    上壁
１２    底壁
３１    発光部材
４１    幅の広い側壁
４２    幅の狭い側壁
７１    穴
７２    溝
【図１】
2012520191.tif 000003
【図２】
2012520191.tif 000004
【図３】
2012520191.tif 000005
【図４】
2012520191.tif 000006
【図５】
2012520191.tif 000007
【図６】
2012520191.tif 000008
【図７】
2012520191.tif 000009
【図８】
2012520191.tif 000010
【国際調査報告】
2012520191.tif 000011
2012520191.tif 000012
2012520191.tif 000013